(57)【要約】【課題】大電流を効率よく供給できるバッテリーパックを提供する。【解決手段】ケースの中に複数の電池セル１３を収納し、この複数の電池セル１３の正極１３ａ及び負極１３ｂをそれぞれ抵抗溶接で導電性の端子板１４に接続して正極及び負極の外部端子１５ｃ、１５ｄに導出したバッテリーパックにおいて、この導電性の端子板１４を、導電性が良好な第２の部材１２の中に溶接性が良好な第１の部材１１を島状に複数整列する如くこの第１の部材１１とこの第２の部材１２を接合して構成し、この導電性の端子板１４とこの電池セル１３の正極１３ａ及び負極１３ｂを、この導電性の端子板１４のこの第１の部材１１と抵抗溶接するようにしたものである。【選択図】  図１
2004311165.tif 000002
【特許請求の範囲】
【請求項１】
ケースの中に複数の電池セルを収納し、前記複数の電池セルの正極及び負極をそれぞれ抵抗溶接で導電性の端子板に接続して正極及び負極の外部端子に導出したバッテリーパックにおいて、
前記導電性の端子板を、導電性が良好な第２の部材の中に溶接性が良好な第１の部材を島状に複数整列する如く前記第１の部材と前記第２の部材とを接合して構成し、
前記電池セルの正極及び負極を、前記導電性の端子板の前記第１の部材と抵抗溶接するようにした
ことを特徴とするバッテリーパック。
【請求項２】
請求項１記載のバッテリーパックにおいて、
前記導電性の端子板の前記第１の部材が一面では島状を呈し、他面では島部が連結した形状を呈して第２の部材と接合した
ことを特徴とするバッテリーパック。
【請求項３】
請求項１または請求項２記載のバッテリーパックにおいて、
前記導電性の端子板の前記第１の部材が、ニッケルまたはニッケル合金、鉄、鉄合金、ステンレス、亜鉛、亜鉛合金、白金、白金合金のうちの何れか一種または複数種を含有し、前記第２の部材が、銅または銅合金、アルミニウム、アルミニウム合金、銀、銀合金、金、金合金、ベリリウム、ベリリウム合金、ロジウム、ロジウム合金、タングステン、タングステン合金、モリブデン、モリブデン合金のうちの何れか一種または複数種を含有している
ことを特徴とするバッテリーパック。
【請求項４】
請求項１、請求項２または請求項３記載のバッテリーパックにおいて、
前記導電性の端子板の前記第１の部材が孔を設けた形状をなし、前記電池セルの正極及び負極を、前記孔を跨ぐようにしてシリーズスポット電気抵抗溶接したことを特徴とするバッテリーパック。
【発明の詳細な説明】
【０００１】
【発明の属する技術分野】
本発明は、充電が可能な複数の電池セルをケースに収納し、ビデオカメラや携帯型パーソナルコンピュータ、デジタルカメラ、携帯電話、ＰＤＡ等の携帯機器の電源として使用するバッテリーパックに関する。
【０００２】
【従来の技術】
一般に、充電が可能なバッテリーパックは図９に示すようなものである。図９を参照してバッテリーパックの例につき説明する。
【０００３】
図９において、バッテリーパックは絶縁性のプラスチック等の材料で略直方体をなしたケースに充電が可能な例えば円筒状のニッケルカドミウム電池或はニッケル水素電池、リチウムイオン電池、リチウム金属電池などの二次電池からなる電池セル１３の複数を収納したものである。そして、この電池セル１３の正極１３ａ及び負極１３ｂをそれぞれ溶接性が良好なニッケル等の単一金属板でなる導電性の端子板４−１，４−２に抵抗溶接で接続する。また、充電電圧が過電圧になったときなどに電池セル１３を保護するための保護回路を組み込んで収納して正極及び負極の外部端子１５ｃ，１５ｄに導出したものである。
【０００４】
一般的に、電池セルの正極と負極の金属板の厚みは、約０．１０ｍｍ〜０．２ｍｍ程度である。また、電池セル１３と接続される導電性の端子板４−１，４−２の材料は、通常配線材として使用される銅・アルミニウムよりも抵抗溶接性に優れるニッケルなどが用いられるがその厚さを０．２ｍｍより厚くすると溶接強度にばらつきを生じてきて接続信頼性も低下してくるため略０．１５ｍｍ程度で使用されている。
もしも、電池セルの正極と負極の金属板の厚みが、約０．３ｍｍ程度の場合においては、電池セル１３と接続される導電性の端子板４−１，４−２の材料の厚みは、略０．２ｍｍ〜０．２５ｍｍ程度であっても接続信頼性は高くなる。
このように、電池セル１３と接続される導電性の端子板４−１，４−２の材料の厚みの最大値は、電池セルの正極と負極の金属板の厚みに左右される。
ここで、一般的に、電池セルの正極と負極の金属板の厚みは、電池セルの製造コストと外形寸法と放電容量の都合により、０．２５ｍｍ以上にすることは困難である。
例えば、電池セルの正極と負極の金属板の厚みを厚くすると、製造コストが高くなり、放電容量が低下する。これは、電池セルの正極と負極の金属板の体積が増大した分、電池セル内部の放電容量に寄与する電極材料の体積が減少するためである。
【０００５】
このようにバッテリーパックで使用される導電性の端子板４−１，４−２は、バッテリーパック内の個別電池である電池セル１３と電気抵抗溶接で接続するため、この導電性の端子板４−１，４−２の材料として通常ニッケルを用いている。そして、このニッケルを使用した場合、前述のように接続信頼性の観点から厚さを略０．１５ｍｍより厚くすることができず、またケース内の収納スペースの制約からその板厚、板幅が制限されるためニッケルの単一金属での導電性の端子板４−１，４−２では配線抵抗を小さくするには限界があり、特に最近のニーズである大電流での用途では導電性の端子板自体のもつ電気抵抗によるエネルギ損失が無視できず十分対応できない不都合があった。
【０００６】
そこで電池用の導電性の端子板４−１，４−２に関しては、特許文献１、特許文献２に記載されているようなものが提案されている。特許文献１には組電池を構成する単電池の電極端子部に溶接して単電池間の電気的接続をとるために用いられる電池用の端子配線板に関するものが記載されている。この端子配線板は、ニッケル材の単材構造を有する溶接部と、ニッケル材と銅材またはアルミニウム材との複数積層構造を有する導電部とを具備するものである。
【０００７】
また、特許文献２には電池パック等に好適に使用できる配線材料及びその製造法などに関するものが記載されている。この配線材料は、鉄、鉄合金、ニッケル、ニッケル合金等の金属溶接可能な導電素材と、銅又は銅合金等の導電性の高い導電素材とからなる複数の異種導電素材を並列に一体化接合して構成されたもので、製造法としては、前記素材からなる複数の異種導電素材を電子ビーム溶接などの手段で並列に溶接して一体化接合したのち、圧延して所望の厚さとし、その後に焼鈍処理を加えるというものである。
【０００８】
【特許文献１】
特開２０００−３６２９９号公報（第２頁、図１ａ，ｂ，ｃ）
【特許文献２】
特開２００１−２２９７４１号公報（第２頁、図１）
【０００９】
【発明が解決しようとする課題】
しかしながら、上述したような従来のバッテリーパックで使用される導電性の端子板では、特許文献１に記載のものでは金属の積層構造であるので全体として板厚が厚くなると共に抵抗値が比較的高くなるという不具合があり、また、特許文献２に記載のものでは製造工程が複雑となって作製しにくいという不具合があった。
【００１０】
本発明はかかる点に鑑み、電池セルとの抵抗溶接において高い接続信頼性を確保した上で低抵抗を実現した導電性の端子板を使用してエネルギ損失が少なく、また、板厚が薄く製造容易なバッテリーパックを得ることを目的とする。
【００１１】
【課題を解決するための手段】
本発明のバッテリーパックは、ケースの中に複数の電池セルを収納し、この複数の電池セルの正極及び負極をそれぞれ抵抗溶接で導電性の端子板に接続して正極及び負極の外部端子に導出したバッテリーパックにおいて、この導電性の端子板を、導電性が良好な第２の部材の中に溶接性が良好な第１の部材を島状に複数整列する如くこの第１の部材とこの第２の部材とを接合して構成し、この電池セルの正極及び負極を、この導電性の端子板のこの第１の部材と抵抗溶接するようにしたものである。
【００１２】
斯かる本発明のバッテリーパックに使用する導電性の端子板は、導電性が良好な第２の部材の中に溶接性が良好な第１の部材を島状に複数整列して接合したもので、互いに接合したものなので板厚を薄く作製することができる。また、導電性の端子板の略全体を導電性が良好な第２の部材で占めるため低抵抗性を備えたものとすることができる、と共に電池セルとの接続は抵抗溶接性が良好な第１の部材で行うので、低抵抗性と溶接性を備えた導電性の端子板とすることができる。従って、導電性と溶接性を兼ね備え、エネルギ損失が少なく大電流に適用可能で、構成が簡単なため製造が容易な配線構造の導電性の端子板をもつバッテリーパックとすることができる。
【００１３】
【発明の実施の形態】
以下図面を参照して本発明のバッテリーパックの実施の形態の例につき説明する。
【００１４】
本発明の実施の形態の例を図１〜３を参照して説明する。図１において、バッテリーパックは絶縁性のプラスチック等の材料で略直方体をなしたケースに充電が可能な例えば円筒状のニッケルカドミウム電池或はニッケル水素電池、リチウムイオン電池、リチウム金属電池などの二次電池からなる電池セル１３を４個収納している。また、この電池セル１３の正極１３ａ及び負極１３ｂはそれぞれ導電性の端子板１４−１，１４−２に接続されている。
【００１５】
そして、この導電性の端子板１４−１，１４−２の一端の凸設部を制御回路基板１５に形成された長孔をもつ銅箔ランド１５ａ，１５ｂに挿着し、それから、はんだなどで接続して、その後に前記ケースに収納し、ケースの外に制御回路基板１５の正極及び負極を外部端子１５ｃ，１５ｄとして導出したものである。なお、制御回路基板１５は長孔をもつ銅箔ランド１５ａ，１５ｂの他に充電電圧が過電圧になったときなどに電池セル１３を保護するための図示しない保護回路などを組み込んだプリント配線基板となっている。
【００１６】
本例においては、バッテリーパックは、２枚の導電性の端子板１４−１，１４−２と４個の電池セル１３などから構成され、この電池セル１３の正極１３ａが導電性の端子板１４−１の４箇所で、負極１３ｂが導電性の端子板１４−２の４箇所で接続される並列接続の例を示している。ここでの電池セル１３は、底を持つ円筒形で厚さ略０．２ｍｍで負極１３ｂをなす鉄等の容器に電池材料を収納し、一端の開口部に絶縁パッキンを介して正極１３ａをなすニッケル等の蓋で塞ぎ・かしめた構造としたものである。電池セル１３の正極１３ａ及び負極１３ｂと接続される導電性端子板１４−１及び１４−２は、その抵抗溶接部の所定領域を溶接性の良好な導電性材料の第１の部材１１で形成し、その他の領域は導電性の良好な導電性材料の第２の部材１２で構成したものである。
【００１７】
図２は、図１に示したバッテリーパックの導電性の端子板１４（１４−１、１４−２）を説明するための図である。図２Ａは図１において使用される第１の部材１１と第２の部材１２を一体に接合した導電性の端子板１４を示している。図は、矩形孔を設けた第１の部材１１が第２の部材１２の中に島部となって整列配置・接合され上面が島状に露呈している状態を示している。ここで第１の部材１１は溶接性が良好な金属である例えばニッケルで形成されており、第２の部材１２は第１の部材と係合する形状で、導電性が第１の部材より良好な金属である例えば銅で形成されたものである。
【００１８】
ここで、溶接性が良好な第１の部材１１は図２Ｂに示すように大小２種の四角形を重ねた厚さ略０．１５ｍｍ程度のブロック（小さいブロック上部１１ｂ１と大きいブロック基部１１ｂ２を略中心合わせで重ね合わせ一体化させたブロック）を４個作製し、これらのブロックを略同一の間隔で整列配置した後にブロック基部１１ｂ２をブリッジ部１１ａで繋いで取扱い容易な連結形状としたものである。また、電池セル１３と第１の部材１１との電気抵抗溶接において溶接性と品質向上のために、第１の部材１１のブロック中央部には溶接機の２つの溶接電極が跨げるような幅の矩形孔を設けている。
【００１９】
一方、図２Ｃに示すように導電性が良好な第２の部材１２は、外形が第１の部材１１よりも大きい短冊形で厚さが略０．１５ｍｍ程度のプレート部１２ａの一短辺部に制御回路基板１５との接続・固定用の凸設部１２ｂを設けたものである。そしてこの第２の部材１２のプレート部１２ａに第１の部材１１を組み合わせたとき、略均一厚となる形状としたものである。そして、導電性の端子板１４は図２Ｄに示すように第１の部材１１を第２の部材１２と組み合わせてから一体に接合したものである。
【００２０】
これら第１の部材１１と第２の部材１２は、例えば次のようにして作製される。即ち、第１の部材１１は予めエッチングなどで段差を形成してから打ち抜きプレスなどで矩形孔を設けて、外形を打ち抜きプレスや追加エッチングなどの方法で分離形成して所望の形状にする。一方、第２の部材１２はエッチングや成形プレスなどで段差を形成してから孔を打ち抜きプレスなどの方法で形成し、最後に全体を打ち抜きプレスなどで打ち抜いて所望の形状にする。そして、導電性の端子板１４は、第１の部材１１と第２の部材１２を図２Ｄに示すように組み合わせる。それから、第１の部材１１の周縁で第１の部材１１と第２の部材１２が係合している段差部で四角枠領域をなす重ね合わせ部１６の所定の複数箇所を周知の電気抵抗溶接のシリーズスポット溶接などで接合したものである。
【００２１】
上述の如くして得られた導電性の端子板１４は電池セル１３と前述の制御回路基板１５と組み合わせてから図３に示すように接続してケースに収納しバッテリーパックとする。電池セル１３の正極１３ａ側用と負極１３ｂ側用に作製された２枚の導電性の端子板１４（１４−１，１４−２）は、先ず１枚目の導電性の端子板１４−２の第１の部材１１の４箇所の島部と４個の電池セル１３の負極１３ｂとを周知のシリーズスポット溶接で接続する。それから、もう１枚の導電性の端子板１４−１の第１の部材１１と４個の島部と４個の電池セルの正極１３ａとをシリーズスポット溶接で接続する。
【００２２】
次に、制御回路基板１５の負極側の銅箔ランド１５ｂの長孔に、電池セル１３の負極１３ｂと接続されている導電性の端子板１４−２の凸設部１２ｂを挿着してからはんだ付けする。最後に、制御回路基板１５の正極側の銅箔ランド１５ａの長孔に、電池セル１３の正極１３ａと接続されている導電性の端子板１４−１の凸設部１２ｂを挿着してからはんだ付けする。これで、電池セル１３・制御回路基板１５・導電性の端子板１４が電気的に接続されるので、これをケースに収納・密閉してバッテリーパックとし、この後図示しない充電器に装着して所定の電圧で充電し、充電完了後実使用に供する。
【００２３】
以上述べたように本例の導電性の端子板１４は、導電性が良好な第２の部材１２である銅などの略０．１５ｍｍ薄板の母材に対して、溶接性が良好な第１の部材１１であるニッケルなどの略０．１５ｍｍの板を電池セル１３との溶接箇所に埋め込んで一体に接合した構造としたものである。
従って、両部材１１，１２を互いに接合したので導電性の端子板１４の厚さは略０．１５ｍｍと薄くできる。そして、電池セル１３と導電性の端子板１４との接続において、抵抗溶接性が良好な第１の部材１１と電気抵抗溶接できるので確実な接続が実現されて接続信頼性は良好なものとなる。また、導電性の端子板１４は電池セル１３との溶接部以外の大部分を導電性が良好な、体積抵抗率が低く熱伝導性に優れる第２の部材である厚さが略０．１５ｍｍの銅が占めるので配線抵抗が小さく熱放散が大きなものとなる。
【００２４】
従ってこの導電性の端子板１４をバッテリーパックの構成部品とした場合、エネルギ損失を改善できると共に電池セル自体の温度上昇を抑えることができるので大電流に対応したものとできる。また、この導電性の端子板１４が可撓性を有するため限られた最小限のスペースであっても柔軟に収納できる。
そして、第１の部材１１、第２の部材１２共にエッチング法、成形プレスや打ち抜きプレスなど簡易な加工方法で部材を形成することが可能であり、両部材１１，１２の接合も電気抵抗溶接などで実施可能であり、導電性の端子板１４は製造が容易なものとなる。
【００２５】
さらに、本例の第１の部材１１では、電池セル１３との接続において、電池セル１３の電極と抵抗溶接する領域に電気抵抗溶接のシリーズスポット溶接法の電極が跨ぐように矩形孔を設けたので、溶接電流の寄与しない電流である無効分流がこの矩形孔に遮られて少なくなり電流の大部分を抵抗溶接に寄与させることが可能になる。即ち、矩形孔をもつ第１の部材１１では、抵抗溶接する領域に溶接電極が跨げるような形状に矩形孔を設けたので矩形孔がない場合と比べ相対的に溶接に寄与する電流を多くすることができ溶接性と品質をさらに向上させることができる。
【００２６】
本発明に使用する導電性の端子板の他の例を図４〜図７を参照して説明する。以下ではこの図４〜図７につき説明するにこの図４〜図７において、図２に対応する部分には同一の符号を付しその詳細説明は省略する。
【００２７】
図４は本発明に使用する導電性の端子板を構成する第１の部材の他の形状例を説明するものである。本図例の第１の部材２１は、図２例で、第１の部材１１の矩形孔を設けていない点が異なり、第２の部材１２は本発明の実施の形態に使用したものと同じである。そして、図２例と同様の接合方法で導電性の端子板２４を形成したものである。この場合、第１の部材２１に矩形孔を設けていないので部材作製の工数が低減されて部品としては低コストとなる。
【００２８】
このように構成した２枚の導電性の端子板２４と４個の電池セル１３と１枚の制御回路基板１５を用いて図２例と同様に接続後ケースに収納し、バッテリーパックとすることができる。この導電性の端子板２４と電池セル１３との接続は、第１の部材２１に矩形孔を設けていないので、第１の部材に矩形孔を設けた場合と比べ溶接ばらつきが少し大きくなるが、溶接電極の先端性状・形状、加圧力、溶接電流などの管理に注意を払うことで十分良好な溶接品質を確保することが可能である。
【００２９】
以上述べたように、図４例の導電性の端子板２４を使用したときにも上述例同様の作用効果が得られることは容易に理解できよう。
【００３０】
図５は本発明に使用する導電性の端子板を構成する第１の部材と第２の部材の他の形状例を説明するものである。本図例は、図２例に対し、第１の部材３１には矩形孔を設けていない点と第２の部材３２との接合部を第１の部材３１の周縁ではない領域で行うようにした点が異なっている。図５Ａは第１の部材３１と第２の部材３２を接合した導電性の端子板３４を示している。
【００３１】
本例の第１の部材３１は図５Ｂに示すように、図２例の第１の部材１１のブロック上部１１ｂ１がブロック基部１１ｂ２と同じ大きさの四角形として、ブリッジ部１１ａの幅がブロック基部１１ｂ２と同じ幅とした形状であり、第１の部材３１には矩形孔を設けていないものである。一方、第２の部材３２は図５Ｃに示すように第１の部材３１と係合する形状に形成される。このような第１の部材３１や第２の部材３２は上述同様の方法で形成してから図５Ｄのように重ね組み合わせてから接合する。
【００３２】
本図例の導電性の端子板３４は以下のようにして一体に接合される。まず第１の部材３１に第２の部材３２を重ねて図５Ｄに示すような組み合わせの状態とする。次に前記組み合わせの状態で第２の部材３２と第１の部材３１が重なっている接合領域３３で周知の電気抵抗溶接のシリーズスポット法などにより両部材３１，３２を接合する。
このように構成した２枚の導電性の端子板３４と４個の電池セル１３と制御回路基板１５を用いて図２例と同様に接続後ケースに収納し、バッテリーパックとすることができる。
【００３３】
本例では、第１の部材と第２の部材の接合を比較的広い接合領域３３で実施可能としたので導電性の端子板３４の作製が容易となる。尚、この導電性の端子板３４と電池セル１３との接続に関しては、第１の部材３１に矩形孔を設けていないので、電池セル１３との抵抗溶接では第１の部材に矩形孔を設けた場合と比べ溶接ばらつきが少し大きくなるが、溶接電極の先端性状・形状、押圧力、溶接電流などの管理などにより注意を払うことで十分良好な溶接品質を確保可能である。
【００３４】
以上述べたように、本図例の導電性の端子板３４を使用したときにも上述例と同様の作用効果が得られることは容易に理解できよう。
【００３５】
図６は本発明に使用する導電性端子板を構成する第１の部材と第２の部材の他の形状例と接合方法を説明するものである。本図例の導電性の端子板４４は、第１の部材３１と、図５Ｂに示す第２の部材３２に開孔を設けて本図例の第２の部材４２（開孔４２ｃ）となしたものである。この両部材３１，４２の接合は第１の部材３１と第２の部材４２を重ねて組み合わせてから開孔４２ｃに低融点のろう材とフラックスを載置して加熱・溶融しおこなったものである。
【００３６】
ここで接合後の両部材間のろう材厚をできるだけ薄くして接合後もある程度可撓性を保持させる場合の手順は、金属などの耐熱性で平坦な板の上で第１の部材３１と第２の部材４２を重ね組み合わせ、それからこの開孔４２ｃにろう材とフラックスを載置し接合領域全体が密着するように重しを載せて加熱・溶融・接合する。これにより第１と第２の両部材３１，４２の接触面にろう材が濡れ広がって接合し、余分なろう材は第２の部材４２の開孔４２ｃのところにはんだ溜りとなって残されるので接合面は極めて薄いろう材となり単材ほどではないが可撓性の付与が可能となる。
【００３７】
このろう接の場合、接合の設備として加熱オーブン程度のもので十分なので部材作製での設備費が低減されて部品としては低コストとなる。また本図例の導電性の端子板４４を使用したときにも上述例と同様の作用効果が得られることは容易に理解できよう。
【００３８】
図７は本発明に使用する導電性端子板を構成する第１の部材と第２の部材の他の形状例と接合方法を説明するもので、より簡易な構造の例を示している。図７Ａは、第１の部材５１を島状に配列しているが、第１の部材５１と第２の部材５２に段差部を設けず、両部材５１，５２との組み合わせに重なり部を持たない構造例である。これらの部材は打ち抜きプレスのみで簡易に生産できるもので、第１の部材５１を第２の部材５２の開孔に嵌め込んでから両部材の境界の隙間に低融点のろう材とフラックスを供給して加熱・溶融して接合し導電性の端子板５４とする。本図例では部材の構造が単純で接合も加熱オーブンなどの使用により簡便に実施でき、部材・製造のコストともきわめて低くなる。また本例の導電性の端子板５４を使用したときにも上述例と同様の作用効果が得られることは容易に理解できよう。
【００３９】
また、図７Ｂの例は、図２に示した第１の部材１１で島部をなす４個のブロックが拡大してブリッジ部１１ａを覆い隠した形状の、１枚の段差付きで単一板状のブロックとなした後、さらにブロックの周縁の段差がスロープ状に変化したような形状としたものである。
このため、導電性の端子板６４は第１の部材６１が略長方形の単一板状となり、第２の部材６２との接合部が段差を持たない代わりに端面に傾斜を設けた形状となし、これら両部材の接合面積をできるだけ広くして接合したものである。このように傾斜した端面を持つ部材は低融点のろう材とフラックスを両部材の隙間に供給して加熱溶融するろう接法で接合し導電性の端子板６４とできる。
【００４０】
この導電性の端子板６４では、部材形状が単純なので部材作製は孔や外形を打ち抜きプレスで加工後、端面の傾斜を成形プレスなどで簡便に加工できるので加工工数が低減される。また、接合の設備として加熱オーブン程度のもので十分なので部材作製での設備費が低減されて部品としては低コストとなる。また本例の導電性の端子板６４を使用したときにも上述例と同様の作用効果が得られることは容易に理解できよう。
【００４１】
以上は、バッテリーパックに内蔵する電池セル１３が４個の場合について説明したが、本発明の別の実施の形態として、より使用時間を長くするため多くの電池セル１３を内蔵して容量を大きくしたバッテリーパックの例を、図８を参照して説明する。
【００４２】
図８は内蔵する電池セル１３を６個として、この電池セル１３の構成を、並列接続３本を２組として配置接続し、前述の電池セル１３が４個構成の場合のバッテリーパックと比較し電圧は同じで電流容量を約１．５倍とする場合を示すものである。この場合、構成部品は図８Ａに示すように、３個の電池セルの負極１３ｂと溶接する２枚の導電性の端子板７４−１，７４−２と、６個の電池セルの正極１３ａと溶接する導電性の端子板７３が１枚と、前記導電性の端子板７３，７４−１，７４−２と３箇所で電気的に接続する制御回路基板７５が１枚と、電池セルが６個である。
【００４３】
ここで、本図例での導電性の端子板７３，７４−１，７４−２の構成は、前記図２の第１の部材１１と第２の部材１２の形状を元にして島部の数を変えたもので、導電性の端子板７３は島部を６個、導電性の端子板７４−１，７４−２は島部を３個としたものである。
また、制御回路基板７５は充電電圧が過電圧になったときなどに電池セル１３を保護するための図示しない保護回路などを組み込み、導電性の端子板７４−１，７４−２の一端の凸設部を挿着しはんだ接続可能とする長孔をもつ銅箔ランド７５ａ，７５ｂ，７５ｃが形成されたプリント基板である。
【００４４】
このような構成部品は例えば以下のように接続する。先ず、導電性の端子板７４−１と３個の電池セル１３−１，１３−２，１３−３の負極１３ｂ側、また導電性の端子板７４−２と３個の電池セル１３−４，１３−５，１３−６の負極１３ｂ側を電気抵抗溶接で接続する。それから、導電性の端子板７３とこの６個の電池セル１３−１〜−６の正極１３ａ側を電気抵抗溶接で接続する。
そして、制御回路基板７５と接続するため導電性の端子板７３，７４−１，７４−２の凸設部を一方向に揃える。このとき図８Ｂに示すように正極の導電性の端子板７３は略０．１５ｍｍ程度と薄いので曲げて配置することができる。
【００４５】
次に、制御回路基板７５の負極の銅箔ランド７５ａの長孔に導電性の端子板７４−１の凸設部を挿着してからはんだ付けし、また制御回路基板７５のもう一方の負極の銅箔ランド７５ｂも同様に導電性の端子板７４−２をはんだ付けする。最後に制御回路基板７５の正極の銅箔ランド７５ｃの長孔に導電性の端子板７３の凸設部側を９０°捻って凸設部を挿着してからはんだ付けし、電気的に接続する。これで、電池セル１３・制御回路基板７５・導電性の端子板７３，７４が接続されるのでこれをケースに収納して密閉してバッテリーパックとする。その後図示しない充電器に装着して所定の電圧で充電し、充電完了後電流容量が約１．５倍のバッテリーパックとして実使用に供する。
【００４６】
以上述べた本発明の別の実施の形態の例でも、本発明の実施の形態と同様の作用効果を得ることができる、と同時に電池セルが多くなっても導電性の端子板が可撓性を有するため限られた最小限のスペースでも柔軟に収納できる。従って、組立作業での工数低減に寄与し製造が容易となる。即ち、本例によれば、ケースへの部品の組み込み性がよく、溶接性と低抵抗を両立させ、エネルギ損失が少なくて使用効率が高い大電流対応で製造が容易な大容量のバッテリーパックとすることができる。
【００４７】
上述例では溶接性が良好な第１の部材にニッケル、導電性が良好な第２の部材に銅を使用した例につき述べたが、これらの代わりに、第１の部材に鉄、鉄合金、ニッケル合金、ステンレススチール、亜鉛、亜鉛合金、白金、白金合金の何れかの一種または複数種を含有したものを用いても良い。また、導電性が良好な第２の部材に銅合金、銀、銀合金、金、金合金、アルミニウム、アルミニウム合金、ベリリウム、ベリリウム合金、ロジウム、ロジウム合金、タングステン、タングステン合金、モリブデン、モリブデン合金の何れかの一種または複数種を含有したものを用いても良い。
【００４８】
また、第１の部材と第２の部材の接合においては本例では電気抵抗溶接のシリーズスポット溶接法とろう接法を主として説明したが、これに限らず、周知の超音波振動溶接法や電気抵抗溶接のダイレクトスポット溶接法、熱圧着法、導電性の接着剤なども採用できるものである。
ここで、熱圧着法とは、高温に加熱しながら２枚の金属板を上下から平面垂直方向に高圧加圧することにより、２枚の金属板を接合する方法であり、金属板の表面がお互いに原子レベルで接近することにより、金属板同士が接合される。
【００４９】
以上説明したが、本発明は上述例に限ることなく本発明の趣旨を逸脱することなく、電池セルの実装数、レイアウト、第１の部材での島部の連結や矩形孔、第１の部材と第２の部材との接合面での段差や傾斜など種々の組み合わせが可能であり、その他の種々の構成が採り得ることは勿論である。
【００５０】
【発明の効果】
本発明によれば、バッテリーパックに使用する導電性の端子板は、導電性が良好な第２の部材の中に溶接性が良好な第１の部材を島状に複数整列して接合したもので、互いに接合したものなので板厚を薄く作製することができる。また、導電性の端子板の略全体を導電性が良好な第２の部材で占めるため低抵抗性を備えたものとすることができる、と共に電池セルとの接続は抵抗溶接性が良好な第１の部材で行うので、低抵抗性と溶接性を備えた導電性の端子板とすることができる。従って、導電性と溶接性を兼ね備え、エネルギ損失が少なく大電流に適用可能で、構成が簡単なため製造が容易な配線構造の導電性の端子板をもつバッテリーパックとすることができる。
【００５１】
本発明によれば、第１の部材と第２の部材を互いに接合したので導電性の端子板の厚さは略０．１５ｍｍと薄くできる。そして、電池セルと導電性の端子板との接続において、抵抗溶接性が良好な第１の部材と電気抵抗溶接できるので確実な接続が実現されて接続信頼性は良好なものとなる。また、導電性の端子板は電池セルとの溶接部以外の大部分を導電性が良好な、体積抵抗率が低く熱伝導性に優れる第２の部材である厚さが略０．１５ｍｍの銅が占めるので配線抵抗が小さく熱放散が大きなものとなる。
【００５２】
本発明によれば、導電性の端子板をバッテリーパックの構成部品とした場合、エネルギ損失を改善できると共に電池セル自体の温度上昇を抑えることができるので大電流に対応したものとできる。また、この導電性の端子板が可撓性を有するため限られた最小限のスペースであっても柔軟に収納できる。
本発明によれば、雰囲気温度  約３０℃の高温雰囲気においても、安定して大電流放電可能なバッテリーパックを実現することができる。
また、バッテリーパックの充電・放電時の導電性の端子板によるエネルギー損失が小さいため、地球資源を無駄に消費しない。
そして、第１の部材、第２の部材共にエッチング法、成形プレスや打ち抜きプレスなど簡易な加工方法で部材を形成することが可能であり、両部材の接合も電気抵抗溶接などで実施可能であり、導電性の端子板は製造が容易なものとなる。
【図面の簡単な説明】
【図１】本発明のバッテリーパックの実施の形態の説明に供する一部を破断して示した斜視図である。
【図２】本発明の実施の形態の説明に供する斜視図である。Ａは接合後の導電性の端子板を示す斜視図である。Ｂは第１の部材の外観形状を示す斜視図である。Ｃは第２の部材の外観形状を示す斜視図である。Ｄは第２の部材に第１の部材を組み合わせた後の一部を断面して示した斜視図である。
【図３】本発明の実施の形態の導電性の端子板を用いて各部品を接続した形態を示す斜視図である。
【図４】本発明の実施の形態の導電性端子板を構成する第１の部材の他の形状例の説明に供する斜視図である。
【図５】本発明の実施の形態の導電性の端子板を構成する第１の部材と第２の部材の他の形状例の説明に供する斜視図である。Ａは接合後の導電性の端子板を示す斜視図である。Ｂは第１の部材の外観形状を示す斜視図である。Ｃは第２の部材の外観形状を示す斜視図である。Ｄは第２の部材に第１の部材を組み合わせた後の一部を断面して示した斜視図である。
【図６】本発明の実施の形態の導電性の端子板を構成する第１の部材と第２の部材の他の形状例と接合方法の説明に供する一部を断面した斜視図である。
【図７】本発明の実施の形態の導電性の端子板を構成する第１の部材と第２の部材の他の形状例と接合方法の説明に供する斜視図である。Ａは第１の部材と第２の部材とに重ね合わせ部を持たない導電性の端子板の例の説明に供する一部を断面した斜視図である。Ｂは第１の部材が単一板状を呈した導電性の端子板の例の説明に供する一部を断面した斜視図である。
【図８】本発明の別の実施の形態の説明に供する斜視図である。Ａは構成部品を示す図である。Ｂは電池セルが６個の場合のバッテリーパックの形態を示す略図である。
【図９】従来のバッテリーパックの形態の説明に供する一部を破断して示した斜視図である。
【符号の説明】
４−１・・・・電池セルの正極側導電性の端子板、４−２・・・・電池セルの負極側導電性の端子板、１１，２１，３１，５１，６１・・・・第１の部材、１１ａ・・・・ブリッジ部、１１ｂ１・・・・ブロック上部、１１ｂ２・・・・ブロック基部、１２，３２，４２，５２，６２・・・・第２の部材、１２ａ・・・・プレート部、１２ｂ・・・・凸設部、１３，１３−１，１３−２，１３−３，１３−４，１３−５，１３−６・・・・電池セル、１３ａ・・・・電池セルの正極、１３ｂ・・・・電池セルの負極、１４，２４，３４，４４，５４，６４・・・・導電性の端子板、１４−１・・・・電池セルの正極側導電性の端子板、１４−２・・・・電池セルの負極側導電性の端子板、１５・・・・制御回路基板、１５ａ・・・・制御回路基板の正極銅箔ランド、１５ｂ・・・・制御回路基板の負極銅箔ランド、１５ｃ・・・・外部端子の正極、１５ｄ・・・・外部端子の負極、１６・・・・重ね合わせ部、３３・・・・接合領域、４２ｃ・・・・開孔、７１−１，７１−２・・・・第１の部材、７２−１，７２−２・・・・第２の部材、７３・・・・６箇所で接続の導電性の端子板、７４−１，７４−２・・・・３箇所で接続の導電性の端子板、７５・・・・制御回路基板、７５ａ，７５ｂ・・・・制御回路基板の負極銅箔ランド、７５ｃ・・・・制御回路基板の正極銅箔ランド、７５ｅ・・・・外部端子の正極、７５ｆ・・・・外部端子の負極、ａ１・・・・ナゲット（電池セルと導電端子板との溶接痕）、ａ２・・・・ナゲット（第１の部材と第２の部材との溶接痕）、ｂ１・・・・ろう材（導電端子板と制御回路基板の接続部はんだフィレット）、ｂ２・・・・ろう材（第１の部材と第２の部材の接合部）
【図１】
2004311165.tif 000003
【図２】
2004311165.tif 000004
【図３】
2004311165.tif 000005
【図４】
2004311165.tif 000006
【図５】
2004311165.tif 000007
【図６】
2004311165.tif 000008
【図７】
2004311165.tif 000009
【図８】
2004311165.tif 000010
【図９】
2004311165.tif 000011